(57)【要約】【課題】複数の電池を収容したケース体から排水通路を通じて水を排出でき、しかも、外部から虫や大量の水が排水通路を通じてケース体の内部に進入することを抑制できる電池パック及び排水装置を提供する。【解決手段】電池パック１０のパックケース１２には、水を外部に排出する排水装置６０が複数取り付けられている。排水装置６０は、排水通路６２と、排水通路６２の収容室６３に収容された浮き部７１とを有している。収容室６３の天井面６６には収容入口が形成され、底面６７には収容出口が形成されている。浮き部７１は、自重で底面６７に着座して収容出口を閉鎖する出口閉状態と、収容室６３に溜まった水に浮くことで収容出口を開放する出口開状態とに移行する。出口開状態には、排水出口から収容室６３に逆流してきた水に浮くことで収容入口６６ａを閉鎖する入口閉状態が含まれている。【選択図】図２
2019220342.tif 000002
【特許請求の範囲】
【請求項１】
複数の電池（１１）をケース体（１２）に収容した電池パック（１０）であって、
前記ケース体の内部に設けられ、前記ケース体の内部の空気から吸熱して前記空気を冷却する冷却部（３５ｂ）と、
前記ケース体に設けられ、前記冷却部による前記空気の冷却に伴って発生した凝縮水を前記ケース体から排出する排水装置（６０，６０Ａ，６０Ｂ）と、
を備え、
前記排水装置は、
前記ケース体から下方に向けて延びたハウジング（６１）と、
前記ハウジングの内部に収容された弁体（７１）と、
を有しており、
前記ハウジングは、
前記ケース体から下方に向けて延び、前記凝縮水を前記ケース体から下方に排出する排水通路（６２）と、
前記排水通路の少なくとも一部により形成され、前記弁体を収容した収容室（６３）と、
を有しており、
前記ハウジングの内面には、
前記収容室に前記凝縮水を流入させる収容入口（６６ａ）が形成された天井面（６６）と、
前記収容室から前記凝縮水を流出させる収容出口（６７ａ）が形成された底面（６７）と、
が含まれており、
前記弁体は、
自重で前記底面に着座して前記収容出口を閉鎖する出口閉状態（Ｐ１）と、
前記収容室に溜まった前記凝縮水に浮くことで前記底面から離座して前記収容出口を開放する出口開状態（Ｐ２）と、
前記収容出口から前記収容室に逆流してきた水に浮くことで前記天井面に着座して前記収容入口を閉鎖する入口閉状態（Ｐ２ａ）と、
に移行可能である、電池パック。
【請求項２】
前記ケース体には、前記排水装置が複数取り付けられており、
複数の前記排水装置においては、それぞれの前記排水通路が前記ケース体から下方に向けて個別に延びている、請求項１に記載の電池パック。
【請求項３】
前記排水通路は、前記収容室から下流側に向けて延びた下流通路部（６５）を有しており、
複数の前記排水装置の少なくとも１つの前記排水装置は、前記下流通路部の通路径（Ｒ３）が他の前記排水装置とは異なっている、請求項２に記載の電池パック。
【請求項４】
前記ケース体の内部空間（１２ａ）には、前記電池が設置された第１領域（Ｓ１）と、前記冷却部が設置された第２領域（Ｓ２）とが含まれており、
前記排水通路は、前記第１領域の床面（４２ｂ）から下方に向けて延びている、請求項１〜３のいずれか１つに記載の電池パック。
【請求項５】
前記排水装置として、
前記第１領域の前記床面から延びた前記排水通路を有する第１排水装置（６０Ａ）と、
前記第２領域の床面（４２ｃ）から延びた前記排水通路を有する第２排水装置（６０Ｂ）と、
を備えている、請求項４に記載の電池パック。
【請求項６】
前記第１排水装置は前記弁体を有しており、前記第２排水装置は前記弁体を有していない、請求項５に記載の電池パック。
【請求項７】
前記第１領域の前記床面及び前記第２領域の床面（４２ｃ）のうち一方から他方に水が流れ込むことを規制する床規制部（４５）が、これら床面の境界部に設けられている、請求項４〜６のいずれか１つに記載の電池パック。
【請求項８】
前記弁体は、
前記弁体が前記出口閉状態にある場合に前記収容出口に対して下方に向けて延びた下方延出部（７３）を有している、請求項１〜７のいずれか１つに記載の電池パック。
【請求項９】
前記下方延出部は、前記弁体が前記出口閉状態及び前記入口閉状態のいずれにある場合でも前記収容出口に対して下方に向けて延びている、請求項８に記載の電池パック。
【請求項１０】
前記排水装置は、
前記ハウジングに対して固定され、前記弁体が前記収容入口と前記収容出口とが並ぶ並び方向（Ｘ）に直交する直交方向（Ｙ）に位置ずれすることを規制した状態で、前記弁体が前記出口閉状態及び前記出口開状態の一方から他方に移行する場合に前記弁体の移動を前記並び方向に案内する移動案内部（８０）と、
を有している、請求項１〜９のいずれか１つに記載の電池パック。
【請求項１１】
前記移動案内部は、
前記並び方向に延びたガイド棒（８１）と、
前記排水通路において前記天井面に対して上流側に設けられ、前記ハウジングに固定され且つ前記ガイド棒を支持する支持部（８２）と、
を有しており、
前記弁体は、前記ガイド棒の外壁面に摺動しながら前記並び方向に移動する、請求項１０に記載の電池パック。
【請求項１２】
複数の電池（１１）を有する電池パック（１０）のケース体（１２）に取り付けられた状態で前記ケース体の内部から水を排出する排水装置（６０，６０Ａ，６０Ｂ）であって、
前記ケース体から下方に向けて延びたハウジング（６１）と、
前記ハウジングの内部に収容された弁体（７１）と、
を備え、
前記ハウジングは、
前記ケース体から下方に向けて延び、前記ケース体の内部から水を下方に排出する排水通路（６２）と、
前記排水通路の少なくとも一部により形成され、前記弁体を収容した収容室（６３）と、
を有しており、
前記ハウジングの内面には、
前記収容室に水を流入させる収容入口（６６ａ）が形成された天井面（６６）と、
前記収容室から水を流出させる収容出口（６７ａ）が形成された底面（６７）と、
が含まれており、
前記弁体は、
自重で前記底面に着座して前記収容出口を閉鎖する出口閉状態（Ｐ１）と、
前記収容室に溜まった水に浮くことで前記底面から離座して前記収容出口を開放する出口開状態（Ｐ２）と、
前記収容出口から前記収容室に逆流してきた水に浮くことで前記天井面に着座して前記収容入口を閉鎖する入口閉状態（Ｐ２ａ）と、
に移行可能である、排水装置。
【発明の詳細な説明】
【技術分野】
【０００１】
この明細書における開示は、電池パック及び排水装置に関する。
【背景技術】
【０００２】
複数の電池をケース体に収容した電池パックとして、特許文献１には、熱交換によってケース体の内部の空気を冷却する熱交換部がケース体の内部に設けられた電池パックが開示されている。この電池パックにおいては、排水通路を形成する排水ダクトがケース体から下方に向けて延びており、熱交換部による空気の冷却に伴って発生した凝縮水が排水通路を通じてケース体から排出される。
【先行技術文献】
【特許文献】
【０００３】
【特許文献１】特開２０１５−２２２７０１号公報
【発明の概要】
【発明が解決しようとする課題】
【０００４】
しかしながら、上記特許文献１の構成では、外部からゴミや虫、水等の異物が排水通路を通ってケース体の内部に進入することが懸念される。特に、電池パックを搭載した車両が冠水路を走行した場合など、大量の水が排水通路を逆流してケース体に進入した場合、ケース体に進入した水が電池の高電圧部位に接触するなどして電池パックに異常が発生するということが懸念される。
【０００５】
本開示の主な目的は、複数の電池を収容したケース体から排水通路を通じて水を排出でき、しかも、外部から虫や大量の水が排水通路を通じてケース体の内部に進入することを抑制できる電池パック及び排水装置を提供することである。
【課題を解決するための手段】
【０００６】
この明細書に開示された複数の態様は、それぞれの目的を達成するために、互いに異なる技術的手段を採用する。また、特許請求の範囲及びこの項に記載した括弧内の符号は、１つの態様として後述する実施形態に記載の具体的手段との対応関係を示す一例であって、技術的範囲を限定するものではない。
【０００７】
開示された第１の態様は、
複数の電池（１１）をケース体（１２）に収容した電池パック（１０）であって、
ケース体の内部に設けられ、ケース体の内部の空気から吸熱して空気を冷却する冷却部（３５ｂ）と、
ケース体に設けられ、冷却部による空気の冷却に伴って発生した凝縮水をケース体から排出する排水装置（６０，６０Ａ，６０Ｂ）と、
を備え、
排水装置は、
ケース体から下方に向けて延びたハウジング（６１）と、
ハウジングの内部に収容された弁体（７１）と、
を有しており、
ハウジングは、
ケース体から下方に向けて延び、凝縮水をケース体から下方に排出する排水通路（６２）と、
排水通路の少なくとも一部により形成され、弁体を収容した収容室（６３）と、
を有しており、
ハウジングの内面には、
収容室に凝縮水を流入させる収容入口（６６ａ）が形成された天井面（６６）と、
収容室から凝縮水を流出させる収容出口（６７ａ）が形成された底面（６７）と、
が含まれており、
弁体は、
自重で底面に着座して収容出口を閉鎖する出口閉状態（Ｐ１）と、
収容室に溜まった凝縮水に浮くことで底面から離座して収容出口を開放する出口開状態（Ｐ２）と、
収容出口から収容室に逆流してきた水に浮くことで天井面に着座して収容入口を閉鎖する入口閉状態（Ｐ２ａ）と、
に移行可能である、電池パックである。
【０００８】
第１の態様によれば、排水通路の収容室に設けられた弁体が出口閉状態に移行可能であるため、外部からゴミや虫、水等の異物が排水通路を通ってケース体の内部に進入するということを抑制できる。その一方で、弁体は、収容室に溜まった凝縮水に浮いた場合に出口開状態に移行するため、ケース体の内部にて生じた凝縮水を排水通路から外部に排出することができる。また、大量の水が収容出口から逆流して収容室に流れ込んできた場合には、弁体が出口開状態のうち入口閉状態に移行するため、大量の水が収容入口から逆流してケース体の内部に流れ込むということを抑制できる。
【０００９】
以上により、複数の電池を収容したケース体から排水通路を通じて水を排出でき、しかも、外部から虫や大量の水が排水通路を通じてケース体の内部に進入することを抑制できる。
【００１０】
第２の態様は、
複数の電池（１１）を有する電池パック（１０）のケース体（１２）に取り付けられた状態でケース体の内部から水を排出する排水装置（６０，６０Ａ，６０Ｂ）であって、
ケース体から下方に向けて延びたハウジング（６１）と、
ハウジングの内部に収容された弁体（７１）と、
を備え、
ハウジングは、
ケース体から下方に向けて延び、ケース体の内部から水を下方に排出する排水通路（６２）と、
排水通路の少なくとも一部により形成され、弁体を収容した収容室（６３）と、
を有しており、
ハウジングの内面には、
収容室に水を流入させる収容入口（６６ａ）が形成された天井面（６６）と、
収容室から水を流出させる収容出口（６７ａ）が形成された底面（６７）と、
が含まれており、
弁体は、
自重で底面に着座して収容出口を閉鎖する出口閉状態（Ｐ１）と、
収容室に溜まった水に浮くことで底面から離座して収容出口を開放する出口開状態（Ｐ２）と、
収容出口から収容室に逆流してきた水に浮くことで天井面に着座して収容入口を閉鎖する入口閉状態（Ｐ２ａ）と、
に移行可能である、排水装置である。
【００１１】
第２の態様によれば、上記第１の態様と同様の効果を奏することができる。
【図面の簡単な説明】
【００１２】
【図１】第１実施形態における冷却システムの構成を示す図。
【図２】軸方向での電池パックの縦断面図。
【図３】図２のＩＩＩ−ＩＩＩ線断面図。
【図４】浮き部が出口閉状態にある場合の軸方向での排水装置の縦断面図。
【図５】図４のＶ−Ｖ線断面図。
【図６】図４のＶＩ−ＶＩ線断面図。
【図７】浮き部が出口開状態にある場合の軸方向での排水装置の縦断面図。
【図８】浮き部が出口開状態のうち入口閉状態にある場合の軸方向での排水装置の縦断面図。
【図９】第２実施形態における軸方向での電池パックの縦断面図。
【発明を実施するための形態】
【００１３】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１４】
（第１実施形態）
図１に示す電池パック１０は、ハイブリッド自動車等の車両に搭載されている。この車両には、走行駆動源としてモータ及び内燃機関の両方が搭載されており、電池パック１０はモータに電力を供給する。電池パック１０は、電力を蓄える電池セル１１と、電池セル１１を収容したパックケース１２とを有している。電池セル１１は、ニッケル水素二次電池や、リチウムイオン二次電池、有機ラジカル電池等の二次電池である。電池パック１０は電池セル１１を複数有しており、これら電池セル１１は互いに電気的に接続されている。電池パック１０においては、複数の電池セル１１を有する組電池がパックケース１２の内部に複数設置されている。なお、電池セル１１が電池に相当し、パックケース１２がケース体に相当する。
【００１５】
車両には、冷凍サイクルを用いて空気の温度を調整する冷却システム２０が搭載されている。冷却システム２０は、車室内の空調として冷房を行うことや、パックケース１２内の空気を冷やして電池パック１０の冷却を行うことが可能になっている。冷却システム２０は、車室内の空気を冷やす車室用回路２１と、パックケース１２内の空気を冷やすパック用回路２２と、これら車室用回路２１及びパック用回路２２の両方に接続された共通回路２３とを有している。なお、冷却システム２０を冷却回路と称することもできる。
【００１６】
冷却システム２０は、コンプレッサ３１、コンデンサ３２、電磁弁３３ａ，３３ｂ、エキスパンションバルブ３４ａ，３４ｂ、エバポレータ３５ａ，３５ｂを有している。
【００１７】
コンプレッサ３１は、冷媒を圧縮することで冷媒の圧力及び温度を上昇させる電動式の圧縮機である。コンデンサ３２は、冷媒の熱を放出することで冷媒を凝縮する凝縮器である。エバポレータ３５ａ，３５ｂは、液相の冷媒を膨張させることで蒸発させる蒸発器である。冷媒は、コンプレッサ３１において気相から液相に相変化し、エバポレータ３５ａにおいて液相から気相に相変化する。エバポレータ３５ａ，３５ｂは、熱交換によって周囲の空気を冷却する冷却用の熱交換部であり、コンデンサ３２は、エバポレータ３５ａ，３５ｂで吸熱した冷媒の熱を周囲の空気との熱交換によって外部に放出する放熱用の熱交換部である。
【００１８】
電磁弁３３ａ，３３ｂは、コンデンサ３２とエバポレータ３５ａ，３５ｂとの間に設けられた高圧の遮断弁であり、エバポレータ３５ａ，３５ｂへの冷媒の供給を停止することが可能になっている。エキスパンションバルブ３４ａ，３４ｂは、電磁弁３３ａ，３３ｂとエバポレータ３５ａ，３５ｂとの間に設けられ、エバポレータ３５ａ，３５ｂに流れ込む冷媒を膨張させる膨張弁である。
【００１９】
また、冷却システム２０は、レシーバ３６及び圧力センサ３７を有している。レシーバ３６は、コンデンサ３２に対して設けられ、コンデンサ３２からエバポレータ３５ａ，３５ｂに供給される冷媒を一時的に貯留することが可能になっている。圧力センサ３７は、コンデンサ３２からエバポレータ３５ａ，３５ｂに供給される冷媒の圧力を検出する。
【００２０】
車室用回路２１は、車室用電磁弁３３ａ、車室用エキスパンションバルブ３４ａ、及び車室用エバポレータ３５ａを含んで構成されている。パック用回路２２は、パック用電磁弁３３ｂ、パック用エキスパンションバルブ３４ｂ、及びパック用エバポレータ３５ｂを含んで構成されている。車室用回路２１とパック用回路２２とは、共通回路２３に対して並列に接続されている。この構成では、電磁弁３３ａ，３３ｂの開閉動作により、コンデンサ３２からの冷媒の供給先として車室用エバポレータ３５ａ及びパック用エバポレータ３５ｂの少なくとも一方が選択される。車室用エバポレータ３５ａは、周囲の空気から吸熱してその空気を冷却することが可能である。
【００２１】
電池パック１０のパックケース１２には、パック用回路２２のうち、パック用エキスパンションバルブ３４ｂ及びパック用エバポレータ３５ｂが設置されている。この場合、電池パック１０がパック用エキスパンションバルブ３４ｂ及びパック用エバポレータ３５ｂを有していることになる。電池パック１０は、パックケース１２に設置されたパック用送風部３８ｂを有している。パック用送風部３８ｂは、電動式のモータ及びファンを有しており、パックケース１２の内部において空気を循環させることが可能になっている。パック用送風部３８ｂが駆動している場合、パック用エバポレータ３５ｂにて冷却された空気により電池セル１１が冷却されやすくなる。パック用エバポレータ３５ｂは、パックケース１２の内部の空気から吸熱してその空気を冷却することが可能であり、冷却部に相当する。
【００２２】
車両には、車室の空調を行う空調装置が搭載されており、この空調装置は、車室用回路２１のうち車室用エキスパンションバルブ３４ａ及び車室用エバポレータ３５ａを含んで構成された空調ユニット４０を有している。空調ユニット４０は、例えばＨＶＡＣ（Heating, Ventilation, and Air Conditioning）であり、車両に搭載されたインストルメントパネルの内部に設けられている。空調ユニット４０は、車室用エキスパンションバルブ３４ａや車室用エバポレータ３５ａを収容するユニットケース４１と、このユニットケース４１に設置された車室用送風部３８ａと、車室用エバポレータ３５ａの温度を検出する温度センサ３９とを有している。車室用送風部３８ａは、パック用送風部３８ｂと同様に電動式のモータ及びファンを有しており、車室用エバポレータ３５ａにより冷却された空気を冷風として車室内に送り出すことが可能になっている。
【００２３】
車載の空調装置は、車室内の暖房を行う暖房回路５０を有している。暖房回路５０は、エンジン冷却水により冷媒を加熱するヒータコア５１や、ヒータコア５１により加熱される冷媒を更に加熱するヒータ部、暖房回路５０において冷媒を循環させる循環ポンプを有している。暖房回路５０のうちヒータコア５１は空調ユニット４０のユニットケース４１内に設置されている。
【００２４】
図２、図３に示すように、電池パック１０のパックケース１２は、上下に薄い扁平状の箱体であり、平面視で矩形状になっている。パックケース１２は内部空間１２ａを有しており、この内部空間１２ａは閉じられた閉空間になっている。パックケース１２は、内部空間１２ａにおいて床面４２ａを形成する床部４２と、床部４２よりも上方に設けられた天井部４３と、床部４２から天井部４３まで延びた壁部４４とを有している。内部空間１２ａは、床部４２、天井部４３及び壁部４４により囲まれた空間になっている。パックケース１２においては、電池セル１１、パック用エバポレータ３５ｂ及びパック用送風部３８ｂが床面４２ａに設置されている。
【００２５】
パックケース１２においては、パック用回路２２による空気の冷却によりパック用エバポレータ３５ｂ等に凝縮水が発生することがある。そこで、電池パック１０は、パックケース１２から凝縮水等の水を外部に排出する排水装置６０を有している。排水装置６０は、パックケース１２に取り付けられている。なお、水でなくて液体がパックケース１２内に存在すれば、その液体は排水装置６０により外部に排出される。
【００２６】
排水装置６０は、パックケース１２の床部４２から下方に向けて延びた円筒状の排水管６１と、排水管６１の内部に設けられた浮き部７１とを有している。排水装置６０においては、排水管６１の内部空間により排水通路６２が形成されている。パックケース１２の内部空間１２ａは、排水通路６２だけを通じて車室外空間等の外部空間に連通されている。排水通路６２においては、その上端が上流端部であり、下端が下流端部である。
【００２７】
排水管６１は、樹脂材料等により形成された配管やドレンホースであり、ハウジングに相当する。床部４２には取り付け孔４７が設けられており、排水管６１は取り付け孔４７に挿入された状態で床部４２に対して固定されている。例えば、排水管６１が取り付け孔４７にねじ込まれており、排水管６１の雄ねじ部が取り付け孔４７の雌ねじ部に羅着した状態になっていることで排水管６１が床部４２に取り付けられている。なお、排水管６１は床部４２にねじ等の固定具により固定されていてもよい。
【００２８】
排水通路６２は、パックケース１２の内部空間１２ａに通じており、床面４２ａから下方に向けて延びている。排水通路６２は、全体として円柱状の空間になっている。排水通路６２について、その上流端部を排水入口６２ａと称し、下流端部を排水出口６２ｂと称すると、排水入口６２ａはパックケース１２の床面４２ａに形成されている。排水通路６２の中心線ＣＬは上下方向に直線状に延びており、排水管６１の中心線に一致している。本実施形態では、排水通路６２の中心線ＣＬが延びる方向を軸方向Ｘと称し、この軸方向Ｘに直交する方向を径方向Ｙと称する。なお、軸方向Ｘは並び方向に相当し、鉛直方向に延びている。径方向Ｙは直交方向に相当し、水平方向に延びている。
【００２９】
内部空間１２ａについては、電池セル１１が設置された領域を電池領域Ｓ１と称し、パック用エバポレータ３５ｂやパック用送風部３８ｂが設置された領域を熱交換領域Ｓ２と称する。この場合、電池領域Ｓ１と熱交換領域Ｓ２とは横並びに配置されており、内部空間１２ａを２分割している。電池領域Ｓ１が第１領域に相当し、熱交換領域Ｓ２が第２領域に相当する。
【００３０】
床面４２ａは、電池領域Ｓ１の床面である電池側床面４２ｂと、熱交換領域Ｓ２の床面である熱交換側床面４２ｃとを有している。電池側床面４２ｂは電池領域Ｓ１の下側に設けられており、熱交換側床面４２ｃは熱交換領域Ｓ２の下側に設けられている。これら床面４２ｂ，４２ｃは、横並びに配置されており、床面４２ａを２分割している。なお、電池側床面４２ｂを第１床面と称し、熱交換側床面４２ｃを第２床面と称することもできる。
【００３１】
床面４２ａにおいて、電池側床面４２ｂと熱交換側床面４２ｃとの境界部には、床面４２ａから上方に突出した床突部４５が設けられている。床突部４５は、電池領域Ｓ１と熱交換領域Ｓ２との境界部に沿って上方に向けて延びており、互いに対向する一対の壁部４４にかけ渡されている。床部４２からの床突部４５の突出寸法は、例えば天井部４３と床部４２との離間距離の１／２より小さくなっている。床突部４５は、床面４２ａに水が付着している場合に、床部４２において電池側床面４２ｂ及び熱交換側床面４２ｃのうち一方から他方に水が流れ込むことを規制する部位であり、床規制部に相当する。
【００３２】
床面４２ａは、電池セル１１やパック用エバポレータ３５ｂ、パック用送風部３８ｂを支持する支持面４２ｄと、パックケース１２内に存在する水を排水入口６２ａに案内する案内面４２ｅとを有している。支持面４２ｄ及び案内面４２ｅは、いずれも電池側床面４２ｂ及び熱交換側床面４２ｃのそれぞれに含まれている。案内面４２ｅは、支持面４２ｄに対して傾斜していることで水勾配を有しており、支持面４２ｄや壁部４４、床突部４５との境界部から排水入口６２ａに向けて斜め下方に延びている。案内面４２ｅにおいては、排水入口６２ａとの境界部分や排水管６１の上端面との境界部分が下端になっている。
【００３３】
排水装置６０は、電池領域Ｓ１及び熱交換領域Ｓ２のそれぞれに対して設けられている。この場合、電池領域Ｓ１及び熱交換領域Ｓ２のそれぞれにおいて排水入口６２ａが案内面４２ｅに設けられている。本実施形態では、電池領域Ｓ１に対して設けられたものを第１排水装置６０Ａと称し、熱交換領域Ｓ２に対して設けられたものを第２排水装置６０Ｂと称する。
【００３４】
図４に示すように、排水通路６２は、浮き部７１を収容した収容室６３と、収容室６３から上流側に向けて延びた上流通路部６４と、収容室６３から下流側に向けて延びた下流通路部６５とを有している。収容室６３、上流通路部６４及び下流通路部６５は、いずれも上下方向に延びており、中心線ＣＬに一致した中心線をそれぞれ有している。上流通路部６４は排水入口６２ａと収容室６３とにかけ渡されており、下流通路部６５は収容室６３と排水出口６２ｂとにかけ渡されている。
【００３５】
収容室６３は、上流通路部６４及び下流通路部６５に比べて太くなっている。具体的には、収容室６３において最も太い部分の内径Ｒ１が、上流通路部６４の内径Ｒ２及び下流通路部６５の内径Ｒ３に比べて大きくなっている。また、軸方向Ｘにおいて収容室６３の長さ寸法Ｌ１は、上流通路部６４の長さ寸法Ｌ２及び下流通路部６５の長さ寸法Ｌ３のいずれよりも大きくなっている。上流通路部６４の長さ寸法Ｌ２は下流通路部６５の長さ寸法Ｌ３より大きくなっている。なお、内径Ｒ２は上流通路部６４の通路径に相当し、内径Ｒ３は下流通路部６５の通路径に相当する。
【００３６】
電池パック１０においては、収容室６３及び上流通路部６４の内径Ｒ１，Ｒ２が複数の排水管６１で同じになっているが、下流通路部６５の内径Ｒ３は複数の排水管６１で異なっている。また、収容室６３及び下流通路部６５の長さ寸法Ｌ１，Ｌ３が複数の排水管６１で同じになっているが、上流通路部６４の長さ寸法Ｌ２は複数の排水管６１で異なっている。
【００３７】
本実施形態では、図２に示すように、第１排水装置６０Ａの排水管６１の方が、第２排水装置６０Ｂの排水管６１に比べて、下流通路部６５の内径Ｒ３が小さく且つ上流通路部６４の長さ寸法Ｌ２が大きくなっている。第１排水装置６０Ａにおいては、上流通路部６４と下流通路部６５とが同じ太さになっており、上流通路部６４の内径Ｒ２と下流通路部６５の内径Ｒ３とが同じになっている。一方、第２排水装置６０Ｂにおいては、下流通路部６５が上流通路部６４に比べて細くなっており、下流通路部６５の内径Ｒ３が上流通路部６４の内径Ｒ２に比べて小さくなっている。
【００３８】
図４において、上述したように、収容室６３が通路部６４，６５に比べて太くなっていることに起因して、排水管６１の内面には、収容室６３の上側にある天井面６６と、収容室６３の下側にある底面６７と、収容室６３の側方にある内壁面６８とが含まれている。天井面６６には、上流通路部６４から水が流入する収容入口６６ａが形成されており、底面６７には、下流通路部６５に水を排出する収容出口６７ａが形成されている。収容入口６６ａは上流通路部６４の下流端部であり、収容出口６７ａは下流通路部６５の上流端部である。
【００３９】
内壁面６８は、軸方向Ｘにおいて天井面６６の外周縁と床面４２ａの外周縁とにかけ渡されている。天井面６６、底面６７及び内壁面６８は、いずれも中心線ＣＬの周りを周方向に延びた円環状になっている。天井面６６は、収容入口６６ａから径方向外側に向けて斜め下方に真っ直ぐに延びている。この場合、天井面６６の内径は下流側に向けて徐々に大きくなっている。床面４２ａは、内壁面６８の下流端部から径方向内側に向けて斜め下方に真っ直ぐに延びている。この場合、床面４２ａの内径は下流側に向けて徐々に小さくなっている。なお、天井面６６や床面４２ａは、上方や下方に向けて膨らんだり凹んだりした湾曲面になっていてもよい。
【００４０】
浮き部７１は、気体を含んだ発泡樹脂等の樹脂材料により円柱状に形成されており、浮力を有している。浮き部７１は、収容入口６６ａ及び収容出口６７ａのそれぞれを開閉することが可能な開閉体であり、弁体に相当する。浮き部７１は、その中心線が排水管６１の中心線ＣＬに一致するように収容室６３に設置されており、軸方向Ｘに移動可能になっている。
【００４１】
浮き部７１は、軸方向Ｘに移動することで、収容出口６７ａを閉鎖した出口閉状態Ｐ１（図４参照）と、収容出口６７ａを開放した出口開状態Ｐ２（図７、図８参照）とに移行可能になっている。浮き部７１は、収容室６３に水が溜まっていない場合、又は収容室６３に溜まっている水の量がその水で浮き部７１が浮かないほどに少ない場合に、自重で底面６７に着座し且つ収容出口６７ａを閉鎖しており、出口閉状態Ｐ１にある。一方、収容室６３に溜まっている水の量がその水で浮き部７１が浮くほどに多い場合、浮き部７１は、自身の浮力で底面６７から離座することで収容出口６７ａを開放し、出口開状態Ｐ２に移行する。
【００４２】
出口開状態Ｐ２には、浮き部７１が収容入口６６ａを閉鎖した入口閉状態Ｐ２ａ（図８参照）が含まれる。例えば、車両が冠水路を走行した場合など、大量の水が排水出口６２ｂから逆流して収容室６３に流れ込んだ場合、浮き部７１は、収容室６３での水面の上昇に伴って天井面６６に着座することで収容入口６６ａを閉鎖し、入口閉状態Ｐ２ａに移行する。なお、浮き部７１が収容室６３の底面６７から離座した状態としては、収容入口６６ａから収容室６３に流入してきた凝縮水に浮き部７１が浮いた状態と、収容出口６７ａから収容室６３に逆流してきた外部の水に浮き部７１が浮いた状態とが挙げられる。これら状態のうち、凝縮水に浮き部７１が浮いた状態を出口開状態Ｐ２と呼び、外部の水に浮き部７１が浮いた状態を出口開状態Ｐ２とは呼ばないとすれば、入口閉状態Ｐ２ａは出口開状態Ｐ２には含まれない。すなわち、下流通路部６５が水で満たされているか否かの観点では、入口閉状態Ｐ２ａと出口開状態Ｐ２とは、互いに異なる状態ということになる。
【００４３】
浮き部７１は、浮き本体７２と、浮き本体７２から下方に向けて延びた下方延出部７３とを有している。浮き本体７２は、浮き部７１が入口閉状態Ｐ２ａにある場合に天井面６６に着座する天井側シール面７２ａと、浮き部７１が出口閉状態Ｐ１にある場合に底面６７に着座する底側シール面７２ｂとを有している。天井側シール面７２ａは浮き本体７２の上端面であり、底側シール面７２ｂは浮き本体７２の下端面である。特に、天井側シール面７２ａは、浮き部７１の上端面になっている。また、浮き本体７２は、天井側シール面７２ａと底側シール面７２ｂとにかけ渡された外壁面７２ｃを有している。
【００４４】
天井側シール面７２ａ、底側シール面７２ｂ及び外壁面７２ｃは、いずれも中心線ＣＬの周りを周方向に延びた円環状になっている。天井側シール面７２ａは、外壁面７２ｃの上端部から径方向内側に向けて斜め上方に真っ直ぐに延びており、テーパ面になっている。この場合、天井側シール面７２ａの内径は上流側に向けて徐々に小さくなっている。底側シール面７２ｂは、外壁面７２ｃの下端部から径方向内側に向けて下方に真っ直ぐに延びており、テーパ面になっている。この場合、底側シール面７２ｂの内径は下流側に向けて徐々に小さくなっている。天井側シール面７２ａ及び底側シール面７２ｂは、天井面６６や底面６７に接触するシート面になっている。なお、天井側シール面７２ａや底側シール面７２ｂは、上方や下方に向けて膨らんだり凹んだりした湾曲面になっていてもよい。
【００４５】
浮き部７１は、上流通路部６４よりも太く上流通路部６４を通過できない構成になっている。これは、浮き部７１において天井側シール面７２ａの下流端部の外径Ｒ４が上流通路部６４の内径Ｒ２より大きいためである。その一方で、天井側シール面７２ａの上流端部の外径Ｒ５は上流通路部６４の内径Ｒ２より小さくなっている。この構成では、浮き部７１が入口閉状態Ｐ２ａにある場合に、天井側シール面７２ａの上流端部が上流通路部６４に入り込んだ状態になり、浮き部７１が排水管６１に対して径方向に軸ずれしにくくなっている。この場合、天井側シール面７２ａと天井面６６とが接触したシール部分は、周方向に環状に延びている。
【００４６】
図４、図５に示すように、浮き部７１は、下流通路部６５よりも太く下流通路部６５を通過できない構成になっている。これは、浮き部７１において底側シール面７２ｂの上流端部の外径Ｒ６が下流通路部６５の内径Ｒ３より大きいためである。その一方で、底側シール面７２ｂの下流端部の外径Ｒ７は下流通路部６５の内径Ｒ３より小さくなっている。この構成では、浮き部７１が出口閉状態Ｐ１にある場合に、底側シール面７２ｂの下流端部が下流通路部６５に入り込んだ状態になり、浮き部７１が排水管６１に対して径方向に軸ずれしにくくなっている。この場合、底側シール面７２ｂと底面６７とが接触したシール部分は、周方向に環状に延びている。底側シール面７２ｂの下流端部の外径Ｒ７は、天井側シール面７２ａの上流端部の外径Ｒ５より大きくなっている。
【００４７】
下方延出部７３は、底側シール面７２ｂの下流端部から下方に向けて延びた円柱状の部位になっている。下方延出部７３の外径は、底側シール面７２ｂの下流端部の外径Ｒ７と同じになっている。軸方向Ｘにおいて下方延出部７３の長さ寸法Ｌ４は、浮き本体７２からの下方延出部７３の延出寸法であり、浮き部７１が出口閉状態Ｐ１にある場合に下方延出部７３の下端面が排水通路６２よりも下方に突出しない程度の大きさになっている。また、下方延出部７３の長さ寸法Ｌ４は、浮き部７１が入口閉状態Ｐ２ａにある場合でも浮き部７１の下端部が下流通路部６５の内部に残る程度の大きさになっている（図４、図８参照）。本実施形態では、浮き部７１が出口閉状態Ｐ１にある場合に、下方延出部７３の下端面と排水管６１の下端面とが軸方向Ｘにおいて同じ位置にある。
【００４８】
図４、図６に示すように、排水装置６０は、浮き部７１の移動方向を案内する移動案内部８０を有している。移動案内部８０は、浮き部７１が排水管６１に対して相対的に径方向Ｙに位置ずれすることを規制しており、ずれ規制部に相当する。
【００４９】
移動案内部８０は、軸方向Ｘに延びたガイド棒８１と、排水管６１に固定され且つガイド棒８１を支持する支持アーム８２とを有している。ガイド棒８１は、円柱状に形成されており、上流通路部６４と収容室６３との境界部を軸方向Ｘに跨いだ状態で設けられている。ガイド棒８１の上端部は、上流通路部６４において排水入口６２ａ及び収容入口６６ａのうち収容入口６６ａ寄りの位置に配置されている。また、ガイド棒８１の下端部は、収容室６３において収容入口６６ａ及び収容出口６７ａのうち収容出口６７ａ寄りの位置に配置されている。ガイド棒８１の中心線は排水管６１の中心線ＣＬに一致している。
【００５０】
支持アーム８２は、浮き部７１が入口閉状態Ｐ２ａに移行した場合にその浮き部７１に接触しない高さ位置に設けられている。支持アーム８２は、径方向Ｙに延びた状態で上流通路部６４の内壁面とガイド棒８１の外壁面とにかけ渡されており、上流通路部６４にガイド棒８１を固定している。支持アーム８２は、周方向に所定間隔で複数並べられている。なお、支持アーム８２が支持部に相当する。
【００５１】
浮き部７１には、天井側シール面７２ａから下方に向けて軸方向Ｘに延びた受け穴７４が設けられている。受け穴７４の内径は天井側シール面７２ａの上流端部の外径Ｒ５と同じになっており、受け穴７４の中心線は排水管６１の中心線ＣＬに一致している。受け穴７４の内径はガイド棒８１と同じ又はそれより若干大きくなっている。浮き部７１は、受け穴７４の内壁面をガイド棒８１の外壁面に摺動させながら軸方向Ｘに移動する。この場合、受け穴７４の内壁面がガイド棒８１の外壁面に接触することで、浮き部７１が径方向Ｙに位置ずれすることが規制される。
【００５２】
排水装置６０の製造方法について簡単に説明する。互いに組み付けることで排水管６１を形成できる複数の部材を樹脂成型等により製造する。ここでは、凹部を有する一対の部材を製造する。そして、一方の部材に移動案内部８０を取り付け、この部材の凹部の内部に浮き部７１が入り込んだ状態になるようにこの浮き部７１を移動案内部８０に装着する。その後、一対の部材の各凹部の内部に浮き部７１が収容されるようにこれら部材を組み付けることで、各凹部により排水通路６２を形成し且つ一対の部材により排水管６１を形成する。このようにして排水装置６０を製造した後、排水管６１を取り付け孔４７にねじ込むことで排水装置６０をパックケース１２に取り付ける。
【００５３】
ここまで説明した本実施形態によれば、図４に示すように、排水通路６２において収容室６３に収容された浮き部７１が自重で出口閉状態Ｐ１に移行可能になっている。この場合、電池パック１０において、排水通路６２によりパックケース１２の内部空間１２ａと外部空間とが連通されていても、外部からゴミや虫、水等の異物が排水通路６２を通ってパックケース１２の内部に進入するということを規制できる。
【００５４】
パック用回路２２による空気の冷却に伴って凝縮水が発生した場合など、パックケース１２に水が存在する場合、この水は床面４２ａの排水出口６２ｂから排水通路６２に流れ込む。パックケース１２から排水通路６２に流れ込んで収容室６３に溜まった水が少量である場合、浮き部７１は収容室６３にて水に浮かずに出口閉状態Ｐ１にて保持される。図７に示すように、収容室６３に溜まった水Ｗａが浮力で浮き部７１を浮かせるほどに多くなった場合、浮き部７１が出口開状態Ｐ２に移行して収容出口６７ａが開放される。この場合、収容室６３に溜まっていた水Ｗａが、浮き部７１の底側シール面７２ｂと排水通路６２の底面６７との間を通って収容出口６７ａから外部に排出される。このようにして、パックケース１２の内部から水が除去されるため、電池セル１１やパック用エバポレータ３５ｂ、パック用送風部３８ｂが水に浸るということを回避できる。特に、電池セル１１の高電圧部位に水が接触することが回避されるため、電気的なショートなど異常が電池セル１１にて発生することを抑制できる。
【００５５】
車両が冠水路を走行した場合など、排水装置６０やパックケース１２が外部の水に浸かった場合には、排水通路６２の排水出口６２ｂから逆流してきた水に浮き部７１が浮くことが想定される。この場合、浮き部７１が出口開状態Ｐ２に移行し、逆流してきた水が収容出口６７ａから収容室６３に流れ込むことで収容室６３での水位が上がっていき、それに伴って浮き部７１が上方に移動する。浮き部７１は、出口開状態Ｐ２にある場合に水に浮遊した状態になっている。そして、図８に示すように、収容室６３に溜まった水Ｗｂに浮くことで浮き部７１が入口閉状態Ｐ２ａに移行した場合、水Ｗｂが収容入口６６ａを通ってパックケース１２の内部に流れ込むことを浮き部７１により規制できる。
【００５６】
この場合、収容入口６６ａが浮き部７１により塞がれ、且つ収容出口６７ａが水Ｗｂにより塞がれていることで、収容室６３の内部に残った空気の逃げ場がなくなり、外部の水位が更に上昇しても収容室６３内の水Ｗｂの水位は上昇しにくくなっている。このように、収容室６３においては、天井面６６と天井側シール面７２ａとが接触したシール部分に水Ｗｂが到達することができない。このため、水Ｗｂが収容入口６６ａを通ってパックケース１２の内部に流れ込むことを浮き部７１により確実に抑制できる。
【００５７】
本実施形態によれば、パックケース１２に複数の排水装置６０が取り付けられている。この構成では、１つの排水装置６０において、蜘蛛の巣等の異物により排水通路６２が閉塞した場合や、排水管６１に対する固着等により浮き部７１が出口閉状態Ｐ１に固定された場合でも、他の排水装置６０によりパックケース１２から水を外部に排出できる。このため、パックケース１２から外部への排水を実行可能な排水装置６０を少なくとも１つ確実に確保できるという可能性を高めることができる。
【００５８】
このように、パックケース１２に排水装置６０が複数取り付けられた構成では、パックケース１２に排水装置６０が１つだけ取り付けられた構成に比べて、外部から大量の水が排水通路６２を逆流してパックケース１２に進入する可能性の上昇が懸念される。これに対して、本実施形態によれば、複数の排水装置６０の各排水通路６２に浮き部７１が設けられている。この構成では、これら排水装置６０のそれぞれについて、外部からの大量の水が排水通路６２を逆流してパックケース１２に進入する可能性を浮き部７１により個別に低減できる。このため、パックケース１２に排水装置６０が複数取り付けられていても、外部から大量の水がパックケース１２に進入する可能性をパックケース１２全体として低減できる。
【００５９】
特に、生息する蜘蛛の種類や大きさが異なる複数の地域において、下流通路部６５について蜘蛛の巣で閉塞しやすい太さが異なる場合、複数の排水装置６０の全てについて下流通路部６５が蜘蛛の巣で閉塞するという可能性を低減できる。このため、下流通路部６５が蜘蛛の巣で閉塞していない排水装置６０を少なくとも１つ確実に確保できるという可能性を高めることができる。
【００６０】
本実施形態によれば、排水装置６０が電池領域Ｓ１に対して取り付けられている。この構成では、パックケース１２において、熱交換領域Ｓ２にて発生した凝縮水が電池領域Ｓ１に流れ込んだとしても、その凝縮水が電池領域Ｓ１から排出されるため、凝縮水により電池セル１１に異常が発生するということを抑制できる。しかも、排水装置６０においては、外部から大量の水が排水通路６２を通って電池領域Ｓ１に流れ込むということが浮き部７１により規制されるため、大量の水により電池セル１１の異常が発生するということを抑制できる。
【００６１】
本実施形態によれば、電池領域Ｓ１に対して第１排水装置６０Ａが設けられ、熱交換領域Ｓ２に対して第２排水装置６０Ｂが設けられている。この構成では、熱交換領域Ｓ２にて凝縮水が発生した場合に、排水通路６２の閉塞等により第２排水装置６０Ｂでは凝縮水を外部に排出できない状況だとしても、熱交換領域Ｓ２から電池領域Ｓ１に流れ込んだ凝縮水については第１排水装置６０Ａから排出できる。このため、熱交換領域Ｓ２から電池領域Ｓ１に流れ込んだ凝縮水に電池セル１１が浸かるという可能性を低減できる。しかも、排水装置６０Ａ，６０Ｂのそれぞれにおいて、外部から大量の水が排水通路６２を通ってパックケース１２の内部に流れ込むということが浮き部７１により規制される。このため、電池セル１１、パック用エバポレータ３５ｂ及びパック用送風部３８ｂのそれぞれについて、外部からの大量の水により異常が発生するということを抑制できる。
【００６２】
パックケース１２においては、電池領域Ｓ１と熱交換領域Ｓ２とを仕切る床突部４５が床面４２ａに設けられている。このため、仮に、熱交換領域Ｓ２においてパック用エバポレータ３５ｂにより発生した凝縮水が電池領域Ｓ１に進入することを床突部４５により規制できる。このため、凝縮水が電池セル１１に接触すること自体を抑制できる。
【００６３】
本実施形態によれば、浮き部７１が収容出口６７ａを通って下方に向けて延びた下方延出部７３を有している。この構成では、下流通路部６５に下方延出部７３が存在するため、排水出口６２ｂから進入してきた外部の水が、下流通路部６５において下方延出部７３に浮力を付与することになる。このように、浮き部７１は浮き本体７２に加えて下方延出部７３でも浮力を受けることができるため、浮き部７１が下方延出部７３を有していない構成に比べて、浮き部７１が入口閉状態Ｐ２ａに移行するタイミングを早めることができる。このため、外部からの大量の水が排水通路６２を通ってパックケース１２内に進入するということをより確実に抑制できる。
【００６４】
また、この構成では、蜘蛛等の虫が排水出口６２ｂから下流通路部６５に進入したとしても、その虫は、下流通路部６５の内壁面と下方延出部７３の外壁面との隙間に入り込みにくくなっている。このように、虫が下流通路部６５に滞在しにくい狭い空間を下方延出部７３によりつくり出すことで、蜘蛛の巣など虫の進入が原因で下流通路部６５が閉塞するということを抑制できる。
【００６５】
本実施形態によれば、浮き部７１は、出口閉状態Ｐ１にある場合はもちろんのこと入口閉状態Ｐ２ａにある場合でも排水出口６２ｂに対して下方に向けて延びている。この構成では、浮き部７１の長さ寸法が極力大きくなっているため、浮き部７１が出口閉状態Ｐ１にある場合に下流通路部６５において下方延出部７３が存在する領域を極力大きくできる。この場合、虫が排水出口６２ｂから下流通路部６５に進入したとしても、その虫は排水出口６２ｂを通ってすぐに下方延出部７３に到達することになる。このため、虫が下流通路部６５に進入すること自体を下方延出部７３により抑制できる。
【００６６】
本実施形態によれば、排水装置６０は、浮き部７１が径方向Ｙに位置ずれすることを規制した状態で浮き部７１の移動を軸方向Ｘに案内する移動案内部８０を有している。この構成では、浮き部７１が出口閉状態Ｐ１にある場合に、浮き部７１が排水通路６２に対して相対的に径方向Ｙに位置ずれして底側シール面７２ｂと底面６７とのシール性が低下するということが生じにくくなっている。このため、底面６７の収容出口６７ａから異物が収容室６３に進入するということを浮き部７１により確実に抑制できる。また、浮き部７１が入口閉状態Ｐ２ａにある場合に、浮き部７１が排水通路６２に対して相対的に径方向Ｙに位置ずれして天井側シール面７２ａと天井面６６とのシール性が低下するということが生じにくくなっている。このため、外部から大量の水が天井面６６の収容入口６６ａを逆流してパックケース１２に進入するということを浮き部７１により確実に抑制できる。
【００６７】
また、浮き部７１の下方延出部７３が下流通路部６５に配置されているため、浮き部７１が径方向Ｙに位置ずれすることを下方延出部７３の外壁面が下流通路部６５の内壁面に接触することで抑制できる。したがって、浮き部７１による収容入口６６ａや収容出口６７ａのシール性が低下することを下方延出部７３により抑制できる。
【００６８】
本実施形態によれば、軸方向Ｘへの浮き部７１の移動がガイド棒８１により案内され、このガイド棒８１を支持する支持アーム８２が排水通路６２において天井面６６に対して上流側に設けられている。この構成では、支持アーム８２を下流通路部６５に設ける必要がないため、支持アーム８２に異物が引っ掛かって下流通路部６５が閉塞しやすくなるということを回避できる。
【００６９】
（第２実施形態）
上記第１実施形態では、パックケース１２に取り付けられた全ての排水装置６０が浮き部７１を有していたが、第２実施形態では、浮き部７１を有する排水装置６０に加えて、浮き部７１を有していない排水装置６０がパックケース１２に取り付けられている。第２実施形態において、第１実施形態に係る図面と同一符号を付した構成部品及び説明しない構成は、第１実施形態と同様であり、同様の作用効果を奏するものである。第２実施形態では、第１実施形態と異なる部分について説明する。
【００７０】
図９に示すように、電池領域Ｓ１に対して設けられた第１排水装置６０Ａが浮き部７１を有している一方で、熱交換領域Ｓ２に対して設けられた第２排水装置６０Ｂが浮き部７１を有していない。第２排水装置６０Ｂは、第１排水装置６０Ａに収容室６３を有しており、浮き部７１が収容室６３に設置されていない。
【００７１】
本実施形態によれば、第２排水装置６０Ｂが浮き部７１を有していないため、浮き部７１の分だけ第２排水装置６０Ｂの製造コストを低減することができる。この構成では、外部から大量の水が第２排水装置６０Ｂの排水通路６２を逆流してパックケース１２に流れ込むことが懸念される。これに対して、パックケース１２の床面４２ａには、電池領域Ｓ１と熱交換領域Ｓ２とを仕切る床突部４５が設けられている。この構成では、仮に外部から大量の水が排水通路６２を通じてパックケース１２の内部に流れ込んだとしても、この水が熱交換領域Ｓ２から電池領域Ｓ１に進入することが床突部４５により規制される。このため、外部からの水で電池セル１１に異常が発生するということを抑制できる。
【００７２】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、１つの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味及び範囲内での全ての変更を含むものと解されるべきである。
【００７３】
変形例１として、上記各実施形態では、第１排水装置６０Ａの方が第２排水装置６０Ｂに比べて下流通路部６５が細くなっていたが、第２排水装置６０Ｂの方が第１排水装置６０Ａに比べて下流通路部６５が細くなっていてもよい。すなわち、排水装置６０がパックケース１２に複数取り付けられた電池パック１０では、少なくとも１つの排水装置６０における下流通路部６５の太さが他の排水装置６０における下流通路部６５の太さとは異なっていてもよい。これにより、全ての排水装置６０について下流通路部６５が異物により閉塞するということを回避しやすくなる。
【００７４】
変形例２として、パックケース１２に取り付けられた複数の排水装置６０で、排水管６１において上流通路部６４や下流通路部６５の形状や大きさに加えて又は代えて、収容室６３などの形状や大きさが異なっていてもよい。また、複数の排水装置６０で浮き部７１の形状や大きさが異なっていてもよい。
【００７５】
変形例３として、複数の排水装置６０で、排水管６１や排水通路６２の形状や大きさが共通化されていてもよい。この構成では、排水管６１が汎用性を有しているため、形状及び大きさを共通化した複数の排水管６１を用いて複数の排水装置６０を製造することができる。
【００７６】
変形例４として、電池領域Ｓ１や熱交換領域Ｓ２に対して排水装置６０が複数設けられていてもよい。例えば、電池領域Ｓ１及び熱交換領域Ｓ２のそれぞれに対して排水装置６０が複数ずつ設けられた構成とする。また、パックケース１２には排水装置６０が１つだけ取り付けられていてもよい。
【００７７】
変形例５として、下方延出部７３は、浮き部７１が出口閉状態Ｐ１にある場合に、排水出口６２ｂに達していなくてもよく、排水出口６２ｂを通過して排水管６１から下方に突出していてもよい。また、下方延出部７３は、浮き部７１が入口閉状態Ｐ２ａにある場合に、収容出口６７ａに達しておらずに収容室６３に収容されていてもよい。さらに、浮き部７１は、下方延出部７３を有していなくてもよい。
【００７８】
変形例６として、排水管６１は、円筒状でなくても角筒状等の筒状であればよい。また、排水通路６２や浮き部７１、ガイド棒８１は、円柱状でなくても角柱状の柱状であればよい。
【００７９】
変形例７として、移動案内部８０において、支持アーム８２は、ガイド棒８１に対する浮き部７１の移動を阻害しない状態であれば、収容室６３や下流通路部６５に設けられていればよい。
【００８０】
変形例８として、径方向Ｙへの浮き部７１の位置ずれがガイド棒８１により規制される構成であれば、浮き部７１の内壁面がガイド棒８１の外壁面に摺動しないほどに、浮き部７１の内壁面がガイド棒８１の外壁面から離間していてもよい。この構成でも、浮き部７１が出口閉状態Ｐ１にある場合に、径方向Ｙへの浮き部７１の位置ずれが、浮き部７１の底側シール面７２ｂと底面６７とのシール性が確保される範囲内に規制されていればよい。同様に、浮き部７１が入口閉状態Ｐ２ａにある場合に、径方向Ｙへの浮き部７１の位置ずれが、浮き部７１の天井側シール面７２ａと天井面６６とのシール性が確保される範囲内に規制されていればよい。
【００８１】
変形例９として、移動案内部８０がガイド棒８１及び支持アーム８２を有していなくても、浮き部７１は、移動案内部８０に係合した状態で軸方向Ｘに移動する構成であればよい。この構成では、移動案内部８０が浮き部７１に係合していることで、軸方向Ｘへの浮き部７１の位置ずれが規制される。また、浮き部７１の内壁面が移動案内部８０の外壁面に摺動するのではなく、浮き部７１の外壁面が移動案内部８０の内壁面に摺動してもよい。
【００８２】
変形例１０として、床突部４５は、電池領域Ｓ１と熱交換領域Ｓ２との境界部に沿って所定間隔で複数並べられていてもよい。また、床突部４５は、天井部４３と床部４２とにかけ渡されていてもよい。さらに、パックケース１２は床突部４５を有していなくてもよい。
【００８３】
変形例１１として、パックケース１２は上方や側方に開放されていてもよい。この構成では、パックケース１２の天井部４３や壁部４４に形成された開口部から水が内部空間１２ａに進入したとしても、この水は排水通路６２を通じて外部に排出される。
【００８４】
変形例１２として、冷却システム２０において車室用回路２１とパック用回路２２とは共通回路２３に対して直列に接続されていてもよい。
【００８５】
変形例１３として、電池パック１０及び排水装置６０は、電池セル１１に充電された電力により駆動されるモータを走行駆動源として有する電気自動車や、走行用モータへの電力供給源として燃料電池を有する燃料電池自動車に搭載されていてもよい。
【符号の説明】
【００８６】
１０…電池パック、１１…電池としての電池セル、１２…ケース体としてのパックケース、１２ａ…内部空間、３５ｂ…冷却部としてのパック用エバポレータ、４２ａ…床面、４５…床規制部としての床突部、６０…排水装置、６０Ａ…第１排水装置、６０Ｂ…第２排水装置、６１…ハウジングとしての排水管、６２…排水通路、６３…収容室、６５…下流通路部、６６…天井面、６６ａ…流入口としての収容入口、６７…底面、６７ａ…収容出口としての収容出口、７１…弁体としての浮き部、７３…下方延出部、８０…移動案内部、８１…ガイド棒、８２…支持部としての支持アーム、Ｐ１…出口閉状態、Ｐ２…出口開状態、Ｐ２ａ…入口閉状態、Ｒ３…通路径としての内径、Ｓ１…第１領域としての電池領域、Ｓ２…第２領域としての熱交換領域、Ｘ…並び方向としての軸方向、Ｙ…直交方向としての径方向。
【図１】
2019220342.tif 000003
【図２】
2019220342.tif 000004
【図３】
2019220342.tif 000005
【図４】
2019220342.tif 000006
【図５】
2019220342.tif 000007
【図６】
2019220342.tif 000008
【図７】
2019220342.tif 000009
【図８】
2019220342.tif 000010
【図９】
2019220342.tif 000011